(57)【特許請求の範囲】
【請求項１】
ネットワークを介して有線又は無線によりサーバ装置と録画装置とデータの送受信を行うユーザ端末であって、
ＧＵＩを用いて特定キーワードの入力をユーザ操作により受付ける入力部と、
前記ユーザ操作に基づいて特定された前記特定キーワードに基づいて、前記サーバ装置が抽出したアクセス制御キーワードリストを取得する取得部と、
前記録画装置の記録部に対して動画又は静止画の記録指示を出力する通信部と、
アクセス先のＷｅｂサーバから取得したＷｅｂページデータのうち前記アクセス制御キーワードリストのキーワードに関連するコンテンツに対するアクセス制御を行って、コンテンツが制限された新たなＷｅｂページを生成し、前記録画装置に、前記動画又は静止画を当該ユーザ端末に送出するように指示する送出指示情報を出力する表示処理部と、
前記新たなＷｅｂページと前記記録部に記録された前記動画又は静止画を表示する表示部と、
を有し、
前記表示処理部は、前記Ｗｅｂページデータのソースと、アクセス制御キーワードリストとを照合し、前記アクセス制御キーワードリストのキーワードの少なくとも１つを含むソースの見出しに非表示フラグを立て、当該ユーザ端末は、前記非表示フラグが立てられた見出しに、少なくともモザイク処理、矩形塗りつぶし処理を含む非表示処理を行うようにするユーザ端末。
【請求項２】
請求項１に記載のユーザ端末において、
前記アクセス制御は、非表示処理及びアクセス禁止処理の少なくとも１つを含む、ユーザ端末。
【請求項３】
請求項１又は２に記載のユーザ端末において、
前記特定キーワードに対応する前記動画又は静止画の再生完了、解除操作及び一定期間の経過の少なくとも１つを検出したとき、前記アクセス制御を解除する解除処理部を更に有する、ユーザ端末。
【請求項４】
コンピュータを、請求項１乃至３のいずれか１項に記載のユーザ端末として機能させるためのプログラム。
【発明の詳細な説明】
【技術分野】
【０００１】
本発明は、ユーザ端末、プログラム、サーバ装置及びアクセス制御方法に関する。
【背景技術】
【０００２】
従来、放送されたスポーツ等の生中継コンテンツを録画し、後に再生して楽しむことを可能にするハードディスクレコーダが知られている。また昨今では、ユーザ端末を用いてインターネットに接続することで、ユーザは多くの情報を取得することができる。
【発明の概要】
【発明が解決しようとする課題】
【０００３】
外出先等でユーザ端末を用いてインターネットを閲覧しているうちに、後で再生して楽しもうと思っていた内容（例えば、スポーツの試合結果）をうっかり知ってしまうというケースは少なくない。
【０００４】
かかる事情に鑑みてなされた本発明の目的は、知りたくない時にうっかり内容を知ってしまうことなく外出先でユーザ端末を利用することを可能とするユーザ端末、プログラム、サーバ装置及びアクセス制御方法を提供することにある。
【課題を解決するための手段】
【０００５】
上記課題を解決するため、本発明に係るユーザ端末は、
ネットワークを介して有線又は無線によりサーバ装置と録画装置とデータの送受信を行うユーザ端末であって、
ＧＵＩを用いて特定キーワードの入力をユーザ操作により受付ける入力部と、
前記ユーザ操作に基づいて特定された前記特定キーワードに基づいて、前記サーバ装置が抽出したアクセス制御キーワードリストを取得する取得部と、
前記録画装置の記録部に対して動画又は静止画の記録指示を出力する通信部と、
アクセス先のＷｅｂサーバから取得したＷｅｂページデータのうち前記アクセス制御キーワードリストのキーワードに関連するコンテンツに対するアクセス制御を行って、コンテンツが制限された新たなＷｅｂページを生成し、前記録画装置に、前記動画又は静止画を当該ユーザ端末に送出するように指示する送出指示情報を出力する表示処理部と、
前記新たなＷｅｂページと前記記録部に記録された前記動画又は静止画を表示する表示部と、
を有し、
前記表示処理部は、前記Ｗｅｂページデータのソースと、アクセス制御キーワードリストとを照合し、前記アクセス制御キーワードリストのキーワードの少なくとも１つを含むソースの見出しに非表示フラグを立て、当該ユーザ端末は、前記非表示フラグが立てられた見出しに、少なくともモザイク処理、矩形塗りつぶし処理を含む非表示処理を行うようにする。
【０００６】
また、上記課題を解決するため、本発明に係るユーザ端末において、
前記アクセス制御は、非表示処理及びアクセス禁止処理の少なくとも１つを含む。
【０００７】
また、上記課題を解決するため、本発明に係るユーザ端末は、
前記特定キーワードに対応する前記動画又は静止画の再生完了、解除操作及び一定期間の経過の少なくとも１つを検出したとき、前記アクセス制御を解除する解除処理部を更に有する。
【０００８】
更に、上記課題を解決するため、本発明に係るプログラムは、
コンピュータを、上記のいずれかに記載のユーザ端末として機能させる。
【発明の効果】
【００１１】
本発明によるユーザ端末、プログラム、サーバ装置及びアクセス制御方法によれば、知りたくない時にうっかり内容を知ってしまうことなく外出先でユーザ端末を利用することができる。
【図面の簡単な説明】
【００１２】
【図１】本発明の一実施形態に係るアクセス制御システムの構成例を示す概略図である。
【図２】図１のサーバ装置の機能ブロック図である。
【図３】図１のユーザ端末の機能ブロック図である。
【図４】図１の記録装置及び表示装置の機能ブロック図である。
【図５】図１の記録装置内のアクセス制御キーワードＤＢを示す図である。
【図６】図１のユーザ端末の表示部が表示する画面の一例を示す図である。
【図７】図１のユーザ端末の表示部が表示する画面の他の一例を示す図である。
【図８】本発明の一実施形態に係るアクセス制御システムにおけるアクセス制御設定処理の動作フローを示す図である。
【図９】本発明の一実施形態に係るアクセス制御システムにおけるアクセス制御処理及びアクセス制御解除処理の動作フローを示す図である。
【発明を実施するための形態】
【００１３】
以下、本発明の実施形態について、図面を参照して説明する。
【００１４】
［システム構成］
図１は、本発明の一実施形態に係るアクセス制御システムの構成例を示す概略図である。アクセス制御システムは、サーバ装置１、ユーザ端末２、記録装置３及びＷｅｂサーバ５を有し、これらはネットワークＮＷを介して相互に通信することができる。アクセス制御システムは更に表示装置４を有し、表示装置４は記録装置３に接続される。ネットワークＮＷとはインターネット等の任意のネットワークである。ネットワークＮＷに接続されるサーバ装置１、ユーザ端末２、記録装置３及びＷｅｂサーバ５の数は任意である。また、記録装置３に接続される表示装置４の数も任意である。以下の説明では、本発明に係るアクセス制御システムの各機能を説明するが、他の機能を排除することを意図したものではないことに留意されたい。
【００１５】
図２は、図１のサーバ装置１の機能ブロック図である。サーバ装置１は、通信部１１、取得部１２、抽出部１３、出力部１４及び記憶部１５を有する。サーバ装置１が行う各種動作は、プロセッサ又はマイコン等の任意の処理装置によって処理される。
【００１６】
通信部１１は、ネットワークＮＷに接続し、ネットワークＮＷを介して有線又は無線によりデータの送受信を行うインタフェースである。
【００１７】
取得部１２は制御部（図示せず）の一機能であり、例えばユーザ端末２から特定キーワードを取得する。
【００１８】
抽出部１３は制御部の一機能であり、アクセス制御キーワードＤＢ１５ａにおいて、特定キーワードに対応付けられている対応キーワードを抽出する。
【００１９】
出力部１４は制御部の一機能であり、例えばアクセス制御キーワードリストをユーザ端末２に出力する。
【００２０】
記憶部１５は、例えば半導体メモリ、磁気メモリ等であり、各種情報及びサーバ装置１を動作させるためのプログラム等を記憶する。記憶部１５は、アクセス制御キーワードＤＢ１５ａを記憶する。アクセス制御キーワードＤＢ１５ａは、インターネット等のネットワークにおけるＷｅｂページ及びＳＮＳ（Ｓｏｃｉａｌ  Ｎｅｔｗｏｒｋｉｎｇ  Ｓｅｒｖｉｃｅ）等から取得したテキスト情報を抽出部１３が解析して生成するＤＢで、様々なキーワード毎に当該キーワードと関連するキーワードを対応付けて記憶する。アクセス制御キーワードＤＢ１５ａは予めサーバ装置１により生成されて所定時間毎に更新されてもよいし、ユーザ端末２又は記録装置３から特定キーワードを取得した時点等の任意の時点で生成されてもよい。
【００２１】
図３は、図１のユーザ端末２の機能ブロック図である。ユーザ端末２は図１に示すような携帯端末であっても、固定端末であってもよい。ユーザ端末２は、通信部２１、取得部２２、表示処理部２３、解除処理部２４、出力部２５、表示部２６、記憶部２７及び入力部２８を有する。ユーザ端末２が行う各種動作は、プロセッサ又はマイコン等の任意の処理装置によって処理される。
【００２２】
通信部２１はネットワークＮＷに接続し、ネットワークＮＷを介して有線又は無線によりデータの送受信を行うインタフェースである。
【００２３】
取得部２２は制御部（図示せず）の一機能であり、例えばサーバ装置１からプログラム及びアクセス制御キーワードリストを取得する。また取得部２２は、Ｗｅｂサーバ５からＷｅｂページデータを取得する。
【００２４】
表示処理部２３は制御部の一機能であり、コンテンツ（例えば、ニュース、投稿又はバナー広告等の画像）のアクセス制御処理を行う。アクセス制御処理とは例えば、非表示処理（モザイク処理、矩形塗りつぶし処理等）及びアクセス禁止処理によって、コンテンツを制限する処理である。以下の説明では、コンテンツとはニュースであるとして説明する。
【００２５】
解除処理部２４は制御部の一機能であり、表示処理部２３によって実行されるアクセス制御を解除し、ニュースが制限されないようにする。
【００２６】
出力部２５は制御部の一機能であり、例えばサーバ装置１に特定キーワードを出力する。また出力部２５は、記録装置３がネットワークＮＷへの映像データ（例えば、録画映像）の送出機能を有するならば、記録装置３に録画映像記録指示や録画映像送出指示等を出力することができる。
【００２７】
表示部２６は例えば、液晶ディスプレイ、有機ＥＬディスプレイ等である。表示部２６はタッチパネルで構成されてもよく、ユーザの操作によるユーザ入力を受付けるインタフェースとして機能してもよい。また、表示部２６は、ユーザ端末２の外部から接続されて用いられてもよい。
【００２８】
記憶部２７は、例えば半導体メモリ、磁気メモリ等であり、各種情報及びユーザ端末２を動作させるためのプログラム等を記憶する。また記憶部２７は、サーバ装置１から取得したアクセス制御キーワードリストを記憶する。
【００２９】
入力部２８は、ＧＵＩ等の直接ユーザが操作するインタフェースである。入力部２８は、特定キーワードの入力をユーザから受付けることができる。すなわち、入力部２８は、ユーザ操作に基づいて特定キーワードを特定する。
【００３０】
図４は、図１の記録装置３及び表示装置４の機能ブロック図である。本実施形態のユーザ端末２のユーザは、記録装置３及び表示装置４をも用いる。記録装置３は、通信部３１、記録部３２及び入力部３３を有する。記録装置３が行う各種動作は、プロセッサ又はマイコン等の任意の処理装置によって処理される。
【００３１】
通信部３１は、ネットワークＮＷに接続し、ネットワークＮＷを介して有線又は無線によりデータの送受信を行うインタフェースであり、また制御部（図示せず）の機能も有する。なお、図示しないが、通信部３１はＴＶ受信機との送受信（チューナ選択信号送出、デコーダ映像信号受信など）を行ってもよい。
【００３２】
また通信部３１は、録画予約を受信し、指定の時間に記録部３２に１以上の動画又は静止画を記録させる。動画とは例えば、テレビのニュース番組であるが、それに限定されない。また、通信部３１は、記録部３２によって記録された１以上の動画又は静止画（まとめて、録画という）を、表示装置４やユーザ端末２での再生のために出力可能である。
【００３３】
記録部３２は例えば、ＨＤＤ（Ｈａｒｄ  Ｄｉｓｋ  Ｄｒｉｖｅ）や個体メモリで構成される。
【００３４】
入力部３３は、直接ユーザが操作するインタフェースである。入力部３３は、録画、録画予約、再生等の操作を受付けることができる。
【００３５】
表示装置４は、液晶ディスプレイ、有機ＥＬディスプレイ等を有する装置であり、例えばテレビである。表示装置４は、記録装置３の通信部３１が出力する動画を表示する。
【００３６】
Ｗｅｂサーバ５は、ユーザ端末２からリクエストされたＷｅｂページデータをユーザ端末２に出力する。
【００３７】
［アクセス制御設定処理］
以下で、本発明の実施形態を詳細に説明する。ユーザ端末２は、ユーザ操作に基づいてサーバ装置１にアクセスし、プログラム（アプリケーション）を取得（ダウンロード）する。プログラムは、後述するアクセス制御処理及びアクセス制御解除処理を行うためのプログラムである。
【００３８】
次いでユーザは、ユーザ端末２を用いてネットワーク経由で記録装置３に対して録画映像の記録指示を行う。このとき出力部２５は記録指示を出力する。記録指示とは、すぐに記録を始める開始指示であってもよいし、所定の時間になったときに記録を始める予約指示であってもよい。これにより記録装置３の記録部３２は指示された録画映像を記録することができる。本実施形態においては一例として、ユーザが、ワールドカップ決勝戦の記録を予約しており、当該録画映像の再生前に、ワールドカップ決勝戦の結果を知りたくないものとして説明する。
【００３９】
なおユーザは、例えば記録装置３のリモコンを用いて記録装置３を操作することにより、記録指示を行うことも可能である。
【００４０】
次いでユーザは、ユーザ端末２を用いて、アクセス制御を行いたいニュースに関する１以上のキーワードを特定キーワードとして入力部２８から入力する。このときユーザは、ワールドカップ決勝戦の結果を知りたくないため、特定キーワードとして「ワールドカップ決勝」を入力する。
【００４１】
入力の後、ユーザ端末２の出力部２５は、通信部２１を介して特定キーワードをサーバ装置１に出力する。なお出力部２５は、ユーザが記録指示を行った録画映像のＥＰＧ（Ｅｌｅｃｔｒｏｎｉｃ  Ｐｒｏｇｒａｍ  Ｇｕｉｄｅ：電子番組ガイド）情報を特定キーワードとしてサーバ装置１に出力してもよい。
【００４２】
特定キーワードをユーザ端末２から取得したサーバ装置１の抽出部１３は、図５に示すアクセス制御キーワードＤＢ１５ａを参照して、特定キーワードに対応付けられている対応キーワードを抽出する。一例として、アクセス制御キーワードＤＢ１５ａにおいて、特定キーワード「ワールドカップ決勝」に対しては、ワールドカップ決勝戦の対戦チーム名、スタジアム名、対戦チームの出場選手氏名、対戦チームが何年振りにワールドカップ決勝戦に進出したか、試合開始又は終了時間、対戦チームの過去の名選手の氏名等の情報が対応付けられている。このため、特定キーワードが「ワールドカップ決勝」である本実施形態においては、抽出部１３は、ワールドカップ決勝戦の対戦チーム名、スタジアム名、対戦チームの出場選手氏名、対戦チームが何年振りにワールドカップ決勝戦に進出したか、試合開始又は終了時間、対戦チームの過去の名選手の氏名等の情報を抽出する。特定キーワードが複数存在するとき、抽出部１３は、全ての特定キーワードのそれぞれについて、アクセス制御キーワードＤＢ１５ａから対応キーワードを抽出する。
【００４３】
なお、アクセス制御キーワードＤＢ１５ａにおいて、特定キーワード「ワールドカップ準決勝」に対しては、ワールドカップ順決勝戦の対戦チーム名、スタジアム名、対戦チームの出場選手氏名、対戦チームが何年ぶりにワールドカップ決勝戦に進出したか等の情報が対応付けられている。また、特定キーワード「全英女子オープン」に対しては、全英女子オープンの出場選手氏名、全英女子オープンの会場名、特定選手の順位等の情報が対応付けられている。更に、特定キーワード「ＭＬＢオールスターゲーム」に対しては、ＭＬＢオールスターゲームの出場選手氏名、ＭＬＢオールスターゲームの会場名等の情報が対応付けられている。
【００４４】
抽出部１３による抽出後、出力部１４は抽出部１３が抽出した１以上の対応キーワードを、アクセス制御を行うためのアクセス制御キーワードリストとして通信部１１を介してユーザ端末２に出力する。
【００４５】
［アクセス制御処理］
ユーザの外出時等において、ユーザが、所望のＷｅｂ情報（ワールドカップ決勝戦の結果以外の情報）を取得するために、アクセス制御キーワードリストを取得したユーザ端末２を用いてＷｅｂサーバ５にアクセスするときの処理を説明する。
【００４６】
ユーザ端末２がＷｅｂサーバ５にアクセスすると、取得部２２はアクセス先のＷｅｂサーバ５からＷｅｂページデータを取得する。取得後、表示処理部２３は、サーバ装置１から取得したプログラムを実行し、Ｗｅｂサーバ５から取得したＷｅｂページデータのうちアクセス制御キーワードリストのキーワードに関連するコンテンツに対するアクセス制御を行う。このとき、表示処理部２３は、コンテンツが制限された新たなＷｅｂページを生成する。具体的には、表示処理部２３は、Ｗｅｂページデータのソース（例えば、ＨＴＭＬタグ情報）と、アクセス制御キーワードリストとを照合し、アクセス制御キーワードリストのキーワードの少なくとも１つを含むソースの見出しに非表示フラグを立てる。なおＷｅｂページデータが画像を含むとき、表示処理部２３は、当該画像のファイル名及びイメージタグ情報等と、アクセス制御キーワードリストとを照合する。
【００４７】
次いで表示処理部２３は、図６に示すように、非表示フラグが立てられた見出しに、領域Ｒ１に示すモザイク処理、領域Ｒ２に示す矩形塗りつぶし処理等を行う。同時に、表示処理部２３は、領域Ｒ１及びＲ２によって隠されたテキストのリンクを削除する。また、表示処理部２３は、図７の領域Ｒ３に示すように、非表示フラグが立てられた見出しのテキスト及びリンクを全て削除するアクセス禁止処理を行ってもよい。このとき、領域Ｒ３は空白になる。このとき、表示部２６は、図７の領域Ｒ３の右上の吹き出しに示すように、領域Ｒ３のニュースが制限された（削除された）旨の表示を行ってもよい。
【００４８】
［アクセス制御解除処理］
記録装置３がネットワークＮＷへの映像データの送出機能を有するならば、ユーザ端末２の出力部２５は、ユーザ操作により記録装置３に録画映像（本実施形態においては、ワールドカップ決勝戦）の送出指示情報を出力する。送出指示情報を受信すると、記録装置３は当該録画映像をユーザ端末２に出力する。当該録画映像を取得すると、表示部２６は当該録画映像を表示する。これによりユーザ端末２のユーザは当該録画映像を視聴することができる。
【００４９】
なおユーザ端末２のユーザは、記録装置３がネットワークＮＷへの映像データの送出機能を有しないときは、例えば記録装置３をリモコンにより操作し、録画映像を、記録装置３に接続された表示装置４に表示させて視聴してもよい。
【００５０】
ユーザは、特定キーワードに対応した録画映像の視聴を完了すると、入力部２８を操作して視聴完了確認を行い、アクセス制御を解除する。次いで解除処理部２４はアクセス制御（コンテンツが制限された新たなＷｅｂページの生成）を解除する。この結果、ユーザ端末２がＷｅｂサーバ５にアクセスしたときに、ユーザ端末２はアクセス制御を行わず、ユーザ端末２は、Ｗｅｂサーバ５から取得したＷｅｂページデータを全て表示部２６において表示する（すなわち、ワールドカップ決勝戦の結果をも表示する）。
【００５１】
なお、別の実施形態として、ユーザ端末２の取得部２２が、アクセス制御設定処理から一定期間が経過したことを検出したサーバ装置１からアクセス制御解除指示を取得したときに、解除処理部２４はアクセス制御を解除してもよい。また、ユーザ端末２は、アクセス制御設定から一定期間が経過したことを検出したとき、アクセス制御を解除してもよい。また、ユーザ端末２は、アクセス制御を解除する旨の解除操作を検出したとき、アクセス制御を解除してもよい。またユーザ端末２は、ユーザがユーザ端末２を用いて録画情報を視聴完了したことを検出したとき、自動的にアクセス制御を解除してもよい。
【００５２】
［動作フロー］
図８は、本発明の一実施形態に係るアクセス制御システムにおけるアクセス制御設定処理の動作フローを示す図である。
【００５３】
ユーザ端末２は、ユーザ操作に基づいてサーバ装置１にアクセスし（ステップＳ１）、プログラムを取得（ダウンロード）して起動する（ステップＳ２及びステップ３）。
【００５４】
次いでユーザは、ネットワーク経由で記録装置３に対して録画映像の記録指示を行う（ステップＳ３）。なおユーザは、例えば記録装置３のリモコンを用いて記録装置３を操作することにより、記録指示を行うことも可能である。当該記録指示を取得すると、記録装置３は指定の時間に録画映像の記録を行う（ステップＳ５）。またユーザは、ユーザ端末２を用いて、アクセス制御を行いたいニュースに関する１以上のキーワードを特定キーワードとして入力する（ステップＳ６）。入力の後、ユーザ端末２は、特定キーワードをサーバ装置１に出力する（ステップＳ７）。
【００５５】
特定キーワードをユーザ端末２から取得したサーバ装置１は、アクセス制御キーワードＤＢを参照して、特定キーワードに対応付けられている対応キーワードを抽出する（ステップＳ８）。抽出後、サーバ装置１は抽出した１以上の対応キーワードを、アクセス制御キーワードリストとしてユーザ端末２に出力する（ステップＳ９）。
【００５６】
図９は、本発明の一実施形態に係るアクセス制御システムにおけるアクセス制御処理及びアクセス制御解除処理の動作フローを示す図である。
【００５７】
ユーザ端末２はＷｅｂサーバ５にアクセスし（ステップＳ１１）、Ｗｅｂサーバ５からＷｅｂページデータを取得する（ステップＳ１２）。取得後、ユーザ端末２は、サーバ装置１から取得したプログラムを実行し、当該Ｗｅｂページデータにつきアクセス制御を行って表示する（ステップＳ１３）。具体的には、ユーザ端末２は、Ｗｅｂページデータのソース（例えば、ＨＴＭＬタグ情報）と、アクセス制御キーワードリストとを照合し、アクセス制御キーワードリストのキーワードの少なくとも１つを含むソースの見出しに非表示フラグを立てる。次いでユーザ端末２は、非表示フラグが立てられた見出しに、モザイク処理、矩形塗りつぶし処理等の非表示処理等を行う。
【００５８】
ユーザ端末２は、記録装置３がネットワークＮＷへの映像データの送出機能を有するならば、任意の時点でユーザ操作により録画映像の送出指示を出力する（ステップＳ１４）。当該送出指示を受信すると記録装置３は当該録画映像をユーザ端末２に出力し、ユーザ端末２は当該録画映像を表示する（ステップＳ１５）。これにより、ユーザ端末２のユーザは当該録画映像を視聴することができる。なおユーザは、記録装置３がネットワークＮＷへの映像データの送出機能を有しないときは、例えば記録装置３をリモコンにより操作し、録画映像を、記録装置３に接続された表示装置４に表示させて視聴してもよい。
【００５９】
ユーザは、当該録画映像の視聴を完了すると、入力部２８を操作して視聴完了確認を行い（ステップ１６）、アクセス制御を解除する（ステップ１７）。なおユーザ端末２は、アクセス制御設定から一定期間が経過したことを検出したとき、アクセス制御を解除してもよいし、アクセス制御を解除する旨の解除操作を検出したとき、アクセス制御を解除してもよい。またユーザ端末２は、ユーザがユーザ端末２を用いて録画映像を視聴完了したことを検出したとき、アクセス制御を自動的に解除してもよい。
【００６０】
解除後に、ユーザ端末２がＷｅｂページデータにアクセスし（ステップＳ１８）、Ｗｅｂページデータを取得したとき（ステップＳ１９）、ユーザ端末２は、Ｗｅｂページデータにつきアクセス制御を行わずに、Ｗｅｂページを表示する（ステップＳ２０）。
【００６１】
この結果、ユーザ端末２がＷｅｂサーバ５にアクセスしたときに、ユーザ端末２は、Ｗｅｂサーバ５から取得したＷｅｂページデータを全て表示する。
【００６２】
従って、本実施形態に係るアクセス制御システムによれば、ユーザは例えば、ワールドカップ決勝戦の結果を知りたくないときに、その結果に関する情報を、ユーザ端末２でうっかり知ってしまうことを避けながら外出先等でユーザ端末２を利用することができる。
【００６３】
本発明の一実施形態に係るユーザ端末２をコンピュータで構成した場合、各機能を実現する処理内容を記述したプログラムを、当該コンピュータの内部又は外部の記憶部に格納しておき、当該コンピュータの中央演算処理装置（ＣＰＵ）によってこのプログラムを読み出して実行させることで実現することができる。また、このようなプログラムは、例えばＤＶＤ又はＣＤ−ＲＯＭなどの可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。
【００６４】
本発明を諸図面及び実施形態に基づき説明してきたが、当業者であれば本開示に基づき種々の変形や修正を行うことが容易である。従って、これらの変形及び修正は本発明の範囲に含まれることに留意されたい。例えば、各機能部、各手段、各ステップ等に含まれる機能等は論理的に矛盾しないように再配置可能であり、複数の機能部やステップ等を１つ組み合わせること、或いは分割することが可能である。また、上述した本発明の実施形態は、それぞれ説明した実施形態に忠実に実施することに限定されるものではなく、適宜、各特徴を組み合わせたり、一部を省略したりして実施することもできる。
【符号の説明】
【００６５】
１    サーバ装置
１１  通信部
１２  取得部
１３  抽出部
１４  出力部
１５  記憶部
１５a  アクセス制御キーワードＤＢ
２    ユーザ端末
２１  通信部
２２  取得部
２３  表示処理部
２４  解除処理部
２５  出力部
２６  表示部
２７  記憶部
２８  入力部
３    記録装置
３１  通信部
３２  記録部
３３  入力部
４    表示装置
【図１】
0006463949.tif 000002
【図２】
0006463949.tif 000003
【図３】
0006463949.tif 000004
【図４】
0006463949.tif 000005
【図５】
0006463949.tif 000006
【図６】
0006463949.tif 000007
【図７】
0006463949.tif 000008
【図８】
0006463949.tif 000009
【図９】
0006463949.tif 000010